(57)【要約】【課題】  滑りやすく、平滑で、硬質な描画面上においても、安定に、かつ、正確に作図を行うことができるようにする作図用文具を実現する。【解決手段】  作図用文具を描画面上に配置し、内側部の滑り止め部材１を押圧すると、滑り止め部材１がスペーサ２、２Ｘからなる外周部の面よりも突出し、描画面と接触する。滑り止め部材１は、吸着性と弾性を有しており、描画面との間に摩擦を生じさせると共に、押圧を解除しても滑り止め部材１が即座に描画面から離れることはないので、作図用文具を描画面に固定して描画に用いることができる。滑り止め部材１への押圧を解除すれば、滑り止め部材１は元の状態に徐々に復帰し、操作面との接触が解除されることで、当該作図用文具を描画面上において自由に移動させることができる。【選択図】図３
2019142088.tif 000002
【特許請求の範囲】
【請求項１】
所定の厚さの平板状硬質素材からなる外周部と前記外周部に囲まれた内側であって、前記所定の厚さより薄い軟質素材からなる滑り止め部材が取り付けられた内側部とからなり、描画面上で使用する作図用文具であって、
前記滑り止め部材は、吸着性を有し、押圧力に応じた方向に偏倚すると共に、当該押圧力が除去された後においては元の状態に復帰する弾性を有し、前記外周部の平板状の一方の面と他方の面の間に配置され、
当該作図用文具が前記描画面上に配置するようにされた場合に、前記内側部への押圧によって、前記滑り止め部材が前記一方の面又は前記他方の面よりも突出することで前記描画面上と摩擦を生じさせる滑り止め機構を構成することを特徴とする作図用文具。
【請求項２】
請求項１に記載の作図用文具であって、
前記滑り止め部材には、１以上のスリットが設けられる構成を有することを特徴とする作図用文具。
【請求項３】
請求項１に記載の作図用文具であって、
前記滑り止め部材は、吸着性のある第１の部材と吸着性のある第２の部材との間にシート状の弾性部材を設けた積層構造を有することを特徴とする作図用文具。
【請求項４】
請求項１に記載の作図用文具であって、
前記滑り止め部材と、前記外周部とは同一素材により形成されることを特徴とする作図用文具。
【請求項５】
請求項１に記載の作図用文具であって、
前記外周部と前記内側部とからなる部分を定規あるいは分度器の構成を有するようにしたことを特徴とする作図用文具。
【請求項６】
請求項１に記載の作図用文具であって、
中心に位置させる第１の脚部と、円あるいは円弧を描画するための第２の脚部を備え、
前記外周部と前記内側部とからなる前記滑り止め機構を、前記第１の脚部の先端に設けることにより、作図用コンパスの構成を有するようにしたことを特徴とする作図用文具。
【発明の詳細な説明】
【技術分野】
【０００１】
この発明は、例えば、定規、コンパス、分度器といった作図用文具であって、特に位置検出センサを備えたタブレットやタッチパネルを備えたタブレットＰＣ（Personal Compute）などの電子機器の操作面上において用いて好適な作図用文具に関する。
【背景技術】
【０００２】
従来から滑り止めを有する定規に関する種々の発明がなされている。例えば、後に記す特許文献１〜４には、滑り止めとして高摩擦係数のゴムや軟質樹脂を用いて、上から強く押さえつけることで摩擦力を発生させ、滑りを防止するようにした定規に関する発明が開示されている。また、後に記す特許文献５には、定規表面に多数の凹凸を持たせて当該定規表面を接触面に食い込ませるようにすることで、滑りを防止するようにした定規に関する発明が開示されている。特許文献１〜５に記載の発明の定規の場合、通常は定規の滑り性を確保し、定規や滑り止め体が上から押さえつけられた場合にのみ滑り止めの効果を発揮させるようにするものである。
【０００３】
また、滑り止めを有する作図用のコンパスについても種々の発明がなされている。例えば、後に記す特許文献６〜８には、円盤の底面外側や脚部の先端に滑り止めを設けることにより、安定して円を描画できるようにする作図用のコンパスに関する発明が開示されている。
【先行技術文献】
【特許文献】
【０００４】
【特許文献１】特願２０１５−１５０７１４号公報
【特許文献２】特願２００３−２４６１９１号公報
【特許文献３】特開２００１−２０５９８３号公報
【特許文献４】特開２００２−２８３７９４号公報
【特許文献５】特開２００２−９８５０１号公報
【特許文献６】特開平１０−１９３８７８号公報
【特許文献７】特開２００４−２４３６０８号公報
【特許文献８】実開平５−８２５９２号公報
【発明の概要】
【発明が解決しようとする課題】
【０００５】
近年、パーソナルコンピュータへの入力デバイスとして、位置検出センサを備えたタブレットが広く利用されるようになってきている。また、タッチパネルを備えたタブレットＰＣ（Personal Compute）も広く普及し、例えば、小学校、中学校、高等学校などの授業においても活用されるようになってきている。このようなタブレットやタブレットＰＣなどの電子機器においては、操作面上に電子ペンを接触させて移動させることにより描画入力ができる。このため、これらの電子機器の利用に際しても、操作面上において定規やコンパスを用いて線を描画入力したり、タッチパネルに表示された図形に存在する角の角度を、分度器を用いて計測したりしたいとする要求がある。
【０００６】
しかし、タブレットやタブレットＰＣの操作面は、汚れ防止と、電子ペンによる入力を良好に行うことができるようにするため、防汚潤滑コーティングが施され、滑りやすく、平滑で、硬質なものとなっている。タブレットＰＣの操作面などは、コーティングが施された平滑なガラスである場合が多い。上述した先行技術文献１〜５に開示された定規は、滑りやすく、平滑で、硬質な電子機器の操作面上での使用は想定されておらず、紙などのシート上での使用を想定したものである。従って、先行技術文献１〜５に開示された定規を用いて電子機器の操作面上において線を引く場合には、線を引いている最中において十分な滑り止め効果が得られずに、滑りが発生する可能性が高く、使い難い場合があると考えられる。
【０００７】
また、上述した特許文献１、２、４に開示された発明の定規は、硬質プラスチックなどのスプリングバックを利用して滑り止め材を定位置に引き戻す構造を備えたものである。このため、少しでも力を抜くと急激に滑り止めの効力が低下し、電子機器の操作面上で使用する場合には、横滑りが発生しやすい構造となっている。従って、定規の滑りを防止するためには、常に強い力で定規を押さえ続ける必要があり、力が弱い子供や老人が使用する場合には、十分な滑り止め効果を得られない場合があると考えられる。
【０００８】
また、特許文献３に記載の定規の場合には、定規に設けられた係合孔に滑り止め体を係合させた上で押さえつけなければならない。このように、滑り止め機能を発揮させる場合には、係合孔に滑り止め体を係合させるといった手間がかかるため、手軽に滑り止め機能を利用することができない場合があると考えられる。また、特許文献５に記載の定規の場合には、操作面に対向することになる定規の面に滑り止めを構成する粒状物を設けるため、操作面に傷がつく恐れがあり、また、定規を押圧する力を弱めれば、即座に滑り止め機能が解除されてしまうことは特許文献１、２、４の場合と同様である。
【０００９】
また、特許文献６〜８に記載された作図用のコンパスの場合、操作面に対向する面に滑り止めが常時露呈するように設けられている。このため、使用時には操作面に対して滑り止めが常時接触するようになり、滑らせるようにしてコンパスを操作面上で移動させて微細な位置合わせを行うことが困難であることが多くなると考えられる。このため、僅かな力でも滑り止めの効果を発揮でき、力を解除しても即座に滑り止めの機能が失われず、また、滑り止めの機能が作用していない場合には簡単に移動させることができる作図用文具の実現が望まれている。特に、電子機器の滑りやすく、平滑で、硬質な操作面上で使用するのに好適な作図用文具の実現が望まれている。
【００１０】
以上のことに鑑み、この発明は、滑りやすく、平滑で、硬質な描画面上においても、安定に、かつ、正確に作図を行うことができるようにするための作図用文具を実現することを目的とする。
【課題を解決するための手段】
【００１１】
上記課題を解決するため、
所定の厚さの平板状硬質素材からなる外周部と前記外周部に囲まれた内側であって、前記所定の厚さより薄い軟質素材からなる滑り止め部材が取り付けられた内側部とからなり、描画面上で使用する作図用文具であって、
前記滑り止め部材は、吸着性を有し、押圧力に応じた方向に偏倚すると共に、当該押圧力が除去された後においては元の状態に復帰する弾性を有し、前記外周部の平板状の一方の面と他方の面の間に配置され、
当該作図用文具が前記描画面上に配置するようにされた場合に、前記内側部への押圧によって、前記滑り止め部材が前記一方の面又は前記他方の面よりも突出することで前記描画面上と摩擦を生じさせる滑り止め機構を構成することを特徴とする作図用文具を提供する。
【００１２】
この作図用文具によれば、所定の厚さの平板状硬質素材からなる外周部と、この外周部に囲まれた内側に、外周部より薄い軟質素材からなる滑り止め部材が取り付けられた内側部とからなっている。この滑り止め部材は、吸着性を有し、押圧力に応じた方向に偏倚すると共に、押圧力が除去されれば元の状態に復帰する弾性を有し、外周部の平板状の一方の面と他方の面の間に配置されている。従って、使用時において滑り止め部材が描画面上に配置するようにされた場合に、外周部によって描画面とこの描画面に対向する滑り止め部材の面とが離隔するようにされる。
【００１３】
そして、この作図用文具が描画面上に配置された場合に、内側部への押圧によって、滑り止め部材が外周部の一方の面又は他方の面よりも突出することで、滑り止め部材が描画面と接触する。この滑り止め部材は吸着性を有しているので、描画面との間に比較的に大きな摩擦を簡単に生じさせると共に、押圧を解除しても滑り止め部材が即座に描画面から離れることはない。従って、この作図用文具を描画面に固定し、安定に描画に用いるようにできる。内側部への押圧を解除すれば、滑り止め部材は吸着性と共に弾性を有しているので元の状態に徐々に復帰し、操作面との接触が解除されることで、当該作図用文具を描画面上において自由に移動させることができる。
【図面の簡単な説明】
【００１４】
【図１】実施の形態の作図用文具の滑り止め機構の基本構造について説明するための図である。
【図２】実施の形態の作図用文具の滑り止め機構の基本構造について説明するための図である。
【図３】実施の形態の作図用文具の滑り止め機構の他の例について説明するための図である。
【図４】実施の形態の作図用文具の滑り止め機構の他の例について説明するための図である。
【図５】実施の形態の滑り止め機構を適用した作図用文具である三角定規について説明するための図である。
【図６】図５を用いて説明した三角定規の変形例について説明するための図である。
【図７】実施の形態の滑り止め機構を適用した作図用文具である直線定規について説明するための図である。
【図８】図７を用いて説明した直線定規の変形例について説明するための図である。
【図９】実施の形態の滑り止め機構を適用した作図用文具であるコンパスについて説明するための図である。
【発明を実施するための形態】
【００１５】
以下、図を参照しながら、この発明の作図用文具の実施の形態について説明する。以下においては、まず、この発明による作図用文具が備える特徴的な部分である滑り止め機構の基本的な構成について説明する。この後、当該滑り止め機構を備える作図用文具の具体例として、三角定規、直線定規、コンパスの３つについて説明する。
【００１６】
［作図用文具の滑り止め機構の基本構造］
図１、図２は、実施の形態の作図用文具の滑り止め機構の基本構造について説明するための図であり、当該滑り止め機構の断面図である。図１（Ａ）に示すように、当該滑り止め機構は、滑り止め部材１と、スペーサ部材２とから構成され、例えばタブレットやタブレットＰＣなどの電子機器の操作面Ｓｆ上において使用して好適なものである。以下においては、タブレットやタブレットＰＣなどの電子機器の操作面Ｓｆを、電子器機器の操作面Ｓｆ、又は、単に操作面Ｓｆと記載する。そして、電子機器の操作面Ｓｆは、電子ペン等により線が引かれるなど種々の描画入力が行われる部分であり、作図用文具が用いられて作図（描画）が行われる描画面である。
【００１７】
滑り止め部材１は、吸着性を有し、押圧力に応じた方向に偏倚し、当該押圧力が除去された後においては元の状態に復帰する性質を有する平板状のものである。具体的に、滑り止め部材１は、ウレタン樹脂、軟質ＰＶＣ（polyvinyl chloride）、マイクロ吸盤シートなどの、吸着性、軟質性、可逆性を備えた材料により形成される。なお、滑り止め部材１の形成材料は、ここで挙げたものに限ることなく、吸着性、軟質性、可逆性を備えた種々の材料によって形成することができる。
【００１８】
そして、滑り止め部材１は、電子機器の操作面Ｓｆ上に配置された場合に、操作面Ｓｆと対向する面１ａと、使用者によって押圧力が加えられる面１ｂとを備える。また、滑り止め部材１の少なくとも面１ａは、操作面Ｓｆとの吸着性を高めるため、目視では表面に凸凹のない平滑なものとして形成される。もちろん、他方の面１ｂもまた、凹凸のない平滑なものとして形成してよい。
【００１９】
なお、電子機器の操作面Ｓｆは、電子ペンを接触させて移動させることにより描画入力を可能にする部分であり、例えばコーティングが施されて滑りやすく、平滑で、硬質なものである。従って、操作面Ｓｆは、従来からある一般的な定規などを当てて使用するようにした場合には非常に滑りやすい部分となっている。
【００２０】
スペーサ部材２は、図１（Ａ）に示すように滑り止め部材１の面１ａの外縁に沿って面１ａに接して設けられ、操作面Ｓｆと操作面Ｓｆに対向する滑り止め部材１の面１ａとを離隔させるものである。スペーサ部材２は、例えば、ＡＢＳ樹脂、ポリカーボネイト、ＰＥＴ（polyethylene terephthalate）樹脂、硬質ＰＶＣなどの硬質材料により形成され、押圧力が加えられた場合にも容易に変形しないものである。すなわち、スペーサ２は滑り止め機構の外周部を構成し、この外周部２の内側に滑り止め部材１が設けられた内側部を備える構成になっている。
【００２１】
なお、ＡＢＳ樹脂は、アクリロニトリル(Acrylonitrile)、ブタジエン (Butadiene)、スチレン(Styrene)の共重合合成樹脂の総称である。また、スペーサ部材２の形成材料は、ここに挙げたものに限ることなく、押圧力が加えられた場合において、大きく変形することのない種々の平板状の硬質材料によって形成できる。
【００２２】
そして、図１（Ａ）に示すように、滑り止め部材１とスペーサ部材２とからなる滑り止め機構を、電子機器の操作面Ｓｆ上に配置すると、滑り止め部材１の面１ａと操作面Ｓｆとの間には、スペーサ部材２の厚み分の空隙ｇｐが設けられることになる。この状態では、操作面Ｓｆと滑り止め部材１とが接触することはないので、滑り止めの機能は発揮されない。
【００２３】
しかし、図１（Ｂ）に示すように、操作面Ｓｆ上に配置された滑り止め機構において、使用者の指ｆｇを滑り止め部材１の面１ｂに接触させて操作面Ｓｆ側に若干の力を加えて押圧すると、滑り止め部材１は、軟質性を備えているため操作面Ｓｆ側に偏倚する。この場合、この例において空隙ｇｐはほぼ消失し、滑り止め部材１の面１ａと操作面Ｓｆとが密着する。これにより、滑り止め部材１の面１ａと操作面Ｓｆとの間に大きな摩擦力が生じ、滑り止め部材１とスペーサ部材２とからなる滑り止め機構は、操作面Ｓｆ上に固定されて、滑って移動することがないようにされる。
【００２４】
そして、図１（Ｂ）に示したように、滑り止め部材１の面１ｂを指ｆｇで押圧している状態から図２（Ａ）に示すように、指ｆｇによる押圧を解除するようにしたとする。滑り止め部材１は、図２（Ａ）において小さな矢印で示したように、偏倚した状態から元の状態に復帰する復元力（可逆性）を有するものである。しかし、滑り止め部材１は、上述したよう吸着性を備えているために、滑り止め部材１の面１ａは即座に操作面Ｓｆから離れることはなく、ある程度の時間、例えば数秒程度、滑り止め部材１の面１ａと操作面Ｓｆとの間で密着状態が保たれる。
【００２５】
図２（Ａ）に示したように、使用者の指ｆｇによる押圧を除去した後、当該滑り止め機構に何らの力も加えなければ、数秒程度の時間を掛けて徐々に操作面Ｓｆから滑り止め部材１の面１ａが剥離して、図２（Ｂ）に示すように元の状態に復帰する。従って、滑り止め部材１に対する押圧をやめても即座に滑り止め機能が解除されることはないので、誤って指ｆｇによる押圧を解除してしまった場合であっても、滑り止め機構がすぐに滑り出してしまうことはない。このため、すぐに押圧力を復帰させれば滑り止め機能を維持させることができる。
【００２６】
［作図用文具の滑り止め機構の他の例］
図３、図４は、実施の形態の作図用文具の滑り止め機構の他の例について説明するための図であり、滑り止め機構の他の例の断面図である。図３（Ａ）に示す滑り止め機構の他の例は、滑り止め部材１の面１ａの外縁に沿ってスペーサ部材２を設けている点は、図１、図２を用いて説明した滑り止め機構と同様である。そして、図３（Ａ）に示す滑り止め機構の他の例の場合には、更に滑り止め部材１の面１ｂの外縁に沿ってスペーサ部材２Ｘを設けたものである。これにより、両面使用が可能な滑り止め機構を構成できる。すなわち、スペーサ２、２Ｘは滑り止め機構の外周部を構成し、この外周部２、２Ｘの内側に滑り止め部材１が設けられた内側部を備える構成になっている。
【００２７】
図３（Ａ）に示した両面使用の滑り止め機構は、例えば三角定規などの両面で使用される定規などに適用して好適なものである。なお、スペーサ部材２Ｘは、述したスペーサ部材２と同様の硬質素材により形成されるものである。また、図３（Ａ）に示した滑り止め機構の場合には、面１ａに加えて、面１ｂもまた、目視では凹凸のない平滑なものとなる。操作面Ｓｆとの密着度を高くするためである。
【００２８】
図３（Ｂ）に示す滑り止め機構の他の例は、滑り止め部材１Ｘの中央部分にスリット３を設けることにより、滑り止め部材１Ｘを滑り止め部分１ＸＡと滑り止め部分１ＸＢとの２つの部分に分割したものである。なお、滑り止め部分１ＸＡの面ＸＡａ側と滑り止め部分１ＸＢの面ＸＢａ側には、図３（Ａ）に示した滑り止め機構の場合と同様に外縁に沿ってスペーサ部材２を設けている。また、滑り止め部分１ＸＡの面ＸＡｂ側と滑り止め部分１ＸＢの面ＸＢｂ側には、図３（Ａ）に示した滑り止め機構の場合と同様に外縁に沿ってスペーサ部材２Ｘを設けている。
【００２９】
この図３（Ｂ）に示した滑り止め機構の他の例の場合には、滑り止め部材１Ｘをスリット３によって滑り止め部分１ＸＡと滑り止め部分１ＸＢの２つに分割することで、滑り止め部材１Ｘの操作面Ｓｆへの密着性を調整できる。すなわち、絶対にずらしたくない場合には、滑り止め部分１ＸＡと滑り止め部分１ＸＢとの両方を押圧する。これに対して、少しの間だけずらさないようにすれば足りる場合には、滑り止め部分１ＸＡだけを押圧したり、あるいは、滑り止め部分１ＸＢだけを押圧したりする。このようにして、滑り止め部材１Ｘの操作面Ｓｆへの密着面積を調整し、密着性、すなわち密着の度合（密着度）を調整できる。
【００３０】
なお、図３（Ｂ）の場合には、滑り止め部材１Ｘを滑り止め部分１ＸＡ、１ＸＢの２つの部分に分割したが、滑り止め部材の分割数は適宜の数とすることができる。また、図１、図２を用いて説明した滑り止め機構の場合にも、滑り止め部材１を複数の部分に分割するようにしてもよい。図１〜図３を用いて説明した滑り止め機構の場合、スペーサ部材２、２Ｘは、滑り止め部材１や滑り止め部材１Ｘに対して固定される。固定の方法は例えば接着剤を用いるなど、種々の方法を用いることができる。
【００３１】
また、図４（Ａ）に示す滑り止め機構の他の例は、スペーサ部材２、２Ｘに相当する凸部をも有する滑り止め部材１Ｙを、吸着性、軟質性、可逆性を備えた材料により構成することによって、滑り止め機構を構成するようにしたものである。すなわち、図４（Ａ）に示すように、この例の滑り止め部材１Ｙは、面１Ｙａの外縁に沿って凸部１Ｙｃを設けると共に、面１Ｙｂにもその外縁に沿って凸部１Ｙｄを設けたものを、吸着性、軟質性、可逆性を備えた単一の材料で形成したものである。従って、凸部１Ｙｃ、１Ｙｄは、スペーサ部材２、２Ｘに相当する機能を実現する部分である。換言すれば、凸部１Ｙｃ、１Ｙｄは滑り止め機構の外周部を構成し、この外周部１Ｙｃ、１Ｙｄの内側に滑り止め部材１Ｙの面１Ｙａ、１Ｙｂが設けられた内側部を備える構成になっている。
【００３２】
ただし、滑り止め部材１Ｙは、吸着性を備えているために、単に凸部１Ｙｃ、１Ｙｄを設けただけでは、これらが電子機器の操作面Ｓｆに対向して配置された場合に当該操作面Ｓｆと密着してしまい、ずらしたい場合にもずらせなくなってしまう。そこで、凸部１Ｙｃ、１Ｙｄの外側に露呈する面には、例えばエンボス加工などを施すことにより凹凸を形成している。これにより、凸部１Ｙｃが、あるいは、凸部１Ｙｄが、電子機器の操作面Ｓｆに対向して配置された場合に操作面Ｓｆと密着することを防止している。なお、図４においては、凸部１Ｙｃ、１Ｙｄは凹凸を有することを明確に示すため、大きなギザギザを設けて示しているが、実際には微細な凹凸が設けられた平板状になっている。
【００３３】
これにより、滑り止め部材１Ｙの面１Ｙａや面１Ｙｂが操作面と密着している状態では、当該滑り止め機構は操作面上をずらすことはできない。しかし、滑り止め部材１Ｙの面１Ｙａや面１Ｙｂが操作面と密着していない状態では、凸部１Ｙｃ、１Ｙｄが電子機器の操作面と密着することはないので、簡単にずらすことができる。このように、滑り止め機構を、吸着性、軟質性、可逆性を備えた単一の材料から構成することができる。
【００３４】
しかし、図４（Ａ）に示した滑り止め部材１Ｙの素材は軟質性を有するものであるため、少しの押圧力で操作面Ｓｆと面１Ｙａあるいは面１Ｙｂが密着してしまう。そして、１度密着してしまうと滑り止め部材１Ｙの復元力ではなかなか剥離できないといった状況になることも考えられる。そこで、図４（Ｂ）に示すように、滑り止め部材１Ｚにおいては、その中心部分に基材４を設けることによって、偏倚させるために必要な押圧力及び復元力を調整するようにしたものである。すなわち、滑り止め部材１Ｚ全体のいわゆるコシの強さを調整できる。
【００３５】
基材４は、例えば、ＰＥＴ樹脂、ポリカーボネイト、硬質ＰＶＣなどのシート状あるいは板状のものである。なお、これらの材料は一例であり、この他にも、例えば金属製の薄い板など、押圧力に応じて偏倚し、押圧力が除去されたら元の状態に戻る可逆性のある材料を用いて形成できる。そして、図４（Ｂ）に示した滑り止め部材１Ｚの場合にも、図４（Ａ）に示した滑り止め部材１Ｙの場合と同様に凸部１Ｚｃ、１Ｚｄが設けられる。
【００３６】
すなわち、滑り止め部材１Ｚの面１Ｚａの外縁に沿って凸部１Ｚｃが設けられていると共に、面１Ｚｂにもその外縁に沿って凸部１Ｚｄが設けられている。これらの凸部１Ｚｃ、１Ｚｄは、図３に示した滑り止め機構のスペーサ部材２、２Ｘに相当するものである。図４（Ａ）、（Ｂ）を用いて説明したように、吸着性、軟質性、可逆性を備えた単一の材料で形成される滑り止め部材１Ｙ、１Ｚによって、滑り止め機構を実現することもできる
なお、図１、図２を用いて説明した滑り止め機構は、材料の異なる滑り止め部材１とスペーサ部材２とからなるものとして、型枠を用いるなどして一体成型することもできる。同様に、図３を用いて説明した滑り止め機構についても、材料の異なる滑り止め部材１とスペーサ部材２とからなるものとして、型枠を用いるなどして一体成型することもできる。
【００３７】
［滑り止め機構を備えた作図用文具の具体例］
次に、図１〜図４を用いて基本的な構成を説明した滑り止め機構を備えた作図用文具の具体例について説明する。
【００３８】
＜三角定規への適用＞
図５は、実施の形態の滑り止め機構を適用した作図用文具である三角定規１０について説明するための図であり、図５（Ａ）は、三角定規１０の上面図であり、図５（Ｂ）は、図５（Ａ）において１点鎖線Ａ−Ａで示した位置の断面図である。図５（Ａ）に示すように、三角定規１０は、網掛けをして示した三角形状の滑り止め部材１Ａと、この滑り止め部材１Ａを囲むように設けられた三角系形状のスペーサ部材２Ａとから構成される。
【００３９】
この例の場合においても、滑り止め部材１Ａは、上述した滑り止め部材１と同様に、吸着性、軟質性、可逆性を備えた材料により形成されたものである。また、スペーサ部材２Ａは、上述したスペーサ部材２と同様に、押圧力が加えられた場合にも容易に変形しない硬質材料により形成されたものである。
【００４０】
そして、図５（Ａ）及び図５（Ｂ）に示すように、スペーサ部材２Ａには、滑り止め部材１Ａを設けるために、三角形状の開口部ＨＡが設けられており、この開口部ＨＡに滑り止め部材１Ａが設けられる。この例の三角定規１０の場合には、図５（Ｂ）に示すように、スペーサ部材２Ａの開口部ＨＡの内側面には、滑り止め部材１Ａの外縁を挟持して保持する溝ＧＡが設けられている。そして、滑り止め部材１Ａの外縁が、スペーサ部材２Ａの溝ＧＡに挟持されることにより、滑り止め部材１Ａがスペーサ部材２Ａに固定される。
【００４１】
また、図５（Ｂ）を見ると分かるように、スペーサ部材２Ａは滑り止め部材１Ａよりも厚みがあるため、滑り止め部材１Ａの面１Ａａはスペーサ部材２Ａの底面から上面側に凹んだ位置にあり、三角定規１０においてくぼみを構成している。これにより、電子機器の操作面に対して、三角定規１０を滑り止め部材１Ａの面１Ａａを向けて置くようにした場合に、当該操作面と滑り止め部材１Ａの面１Ａａとの間に空隙が生じる構成になっている。このように、この例の三角定規１０は、スペーサ２Ａが外周部を構成し、この外周部２Ａの内側に滑り止め部材１Ａが設けられた内側部を備える構成になっている。
【００４２】
そして、電子機器の操作面に対して、三角定規１０を滑り止め部材１Ａの面１Ａａを対向させて置いた状態で、使用者が指などにより滑り止め部材１Ａを面１Ａｂ側から操作面に向かって押圧すると、滑り止め部材１Ａの面１Ａａと当該操作面とが接触する。滑り止め部材１Ａは、吸着性、軟質性、可逆性を備えたものである。一方、電子機器の当該操作面は、例えばコーティングが施されて滑りやすく、平滑で、硬質なものである。このため、この場合には滑り止め部材１Ａの面１Ａａが操作面に密着することにより、三角定規１０が当該操作面上に固定され、電子ペンによる直線の描画を安定して確実に行うことができる。
【００４３】
そして、滑り止め部材１Ａは、吸着性も備えているので、使用者が指などによる押圧を解除した後においても、滑り止め部材１Ａの面１Ａａが即座に操作面から離れることはない。押圧を解除した場合であっても、滑り止め部材１Ａの面１Ａａが操作面から完全に離れるまでには数秒程度かかる。このため、例えば誤って指を滑り止め部材１Ａから離した場合でも、即座に三角定規１０が操作面からずれることはないので、三角定規１０を用いた作図を安定して行うことができる。
【００４４】
なお、この例の三角定規１０の場合には、図５（Ｂ）に示したように、滑り止め部材１Ａの上側の面１Ａｂはスペーサ部材２Ａの上面から底面側に凹んだ位置にあり、三角定規１０においてくぼみを構成している。このため、例えば電子機器の操作面に対して、三角定規１０を滑り止め部材１Ａの面１Ａｂを向けて置くようにした場合にも、当該操作面と滑り止め部材１Ａの面１Ａｂとの間に空隙が設けられる。そして、滑り止め部材１Ａの面１Ａａ側から操作面側に押圧すれば、操作面と滑り止め部材１Ａの面１Ａｂとを密着させて、三角定規１０を操作面に固定できる。すなわち、この例の三角定規１０は、図３Ａを用いて説明した滑り止め機構と同様に、滑り止め部材の両方の面１Ａａ、１Ａｂにスペーサ部材を設けた構成の両面使用が可能な三角定規となる。
【００４５】
≪三角定規の変形例≫
図６は、図５を用いて説明した三角定規１０の変形例について説明するための図である。図６（Ａ）に示した例の三角定規１０Ａにおいて、スペーサ部材２Ａは図５を用いて説明したものと同様である。しかし、スペーサ部材２Ａの開口部ＨＡには、３つのスリットＳＬ１、ＳＬ２、ＳＬ３によって３つの部分Ａ１、Ａ２、Ａ３に分割された滑り止め部材１ＡＡが固定される。固定の方法は、図５（Ｂ）を用いて説明した場合と同様である。なお、図６（Ａ）に示すように、滑り止め部材１ＡＡの中央部分には円形の貫通孔ＨＬが設けられ、分割された部分Ａ１、Ａ２、Ａ３を明確に区分できるようにしている。
【００４６】
これにより、滑り止め部材１ＡＡの３つの部分Ａ１、Ａ２、Ａ３のそれぞれを独立した部分として扱うことができるようにしている。すなわち、電子機器の操作面上に配置したこの例の三角定規１０Ａを強固に滑らないようにするためには、滑り止め部材１ＡＡの３つの部分Ａ１、Ａ２、Ａ３のそれぞれを同時に押圧する。また、例えば少しの直線を引くだけで、それほど強固に滑らないようにする必要がない場合には、滑り止め部材１ＡＡの３つの部分Ａ１、Ａ２、Ａ３の内のいずれか１つ、あるいは、いずれか２つの部分を押圧するようにすればよい。
【００４７】
また、部分Ａ１側に線を引く場合には、部分Ａ１を押圧し、部分Ａ２側に線を引く場合には、部分Ａ２を押圧し、部分Ａ３側に線を引く場合には、部分Ａ３を押圧するというように押圧部分の使い分けができる。すなわち、三角定規１０Ａのどの辺を用いて線を引くかに応じて、押圧する部分を使い分ければ、少ない力で三角定規１０Ａを適切に電子機器の操作面に固定することができる。このように、この例の三角定規１０Ａの場合には、滑り止め部材１ＡＡの操作面への密着部分と密着面積とを調整できる。なお、密着面積の調整は、上述もしたように、密着性、すなわち密着の度合（密着度）の調整ができることを意味する。
【００４８】
また、図６（Ｂ）に示した例の三角定規１０Ｂにおいて、スペーサ部材２Ａは図５を用いて説明したものと同様である。しかし、滑り止め部材１ＡＢは、図６（Ｂ）に示すように、開口部ＨＡにセットした場合において、開口部ＨＡの内側面よりも更に内側の位置であって、３つの角に沿うように、３つのスリットＳＬ１１、ＳＬ１２、ＳＬ１３を設けたものである。これにより、滑り止め部材１ＡＢを、大きく３つの部分に分けることができる。すなわち、スリットＳＬ１１に囲まれた三角形状の部分Ａ１１と、スリットＳＬ１２に囲まれた三角形状の部分Ａ１２と、スリットＳＬ１３に囲まれた三角形状の部分Ａ１３とである。なお、滑り止め部材１ＡＢは、図５を用いて説明した三角定規１０の滑り止め部材１Ａと同様にしてスペーサ部材２Ａに固定されている。
【００４９】
このように、滑り止め部材１ＡＢにおいては、これら３つの部分に分割するようにしたことにより、滑り止め部材１ＡＢの操作面への密着性を調整できる。例えば、操作面上において、この例の三角定規１０Ｂを強固に固定したい場合には、部分Ａ１１、Ａ１２、Ａ１３のそれぞれを同時に押圧することにより、部分Ａ１１、Ａ１２、Ａ１３のそれぞれが操作面に密着し、強固に固定できる。また、辺Ｓｄ１に沿って線を引きたい場合には、部分Ａ１１と部分Ａ１２とを押圧し、辺Ｓｄ２に沿って線を引きたい場合には、部分Ａ１３と部分Ａ１２とを押圧し、辺Ｓｄ３に沿って線を引きたい場合には、部分Ａ１１と部分Ａ１３とを押圧する。このように、押圧する箇所に応じて、操作面への密着性を調整できる。
【００５０】
また、図６（Ｃ）に示した例の三角定規１０Ｃは、図６（Ｂ）に示した三角定規１０Ｂのスリットの位置をより外側に設けるようにしたものである。すなわち、図６（Ｃ）に示した例の三角定規１０Ｃにおいて、スペーサ部材２Ａは図５を用いて説明したものと同様である。しかし、滑り止め部材１ＡＣは、図６（Ｃ）に示すように、開口部ＨＡにセットした場合において、三角形状の開口部ＨＡの３つの角のそれぞれの部分において、開口部ＨＡの内側面に沿うように、スリットＳＬ２１、ＳＬ２２、ＳＬ２３を設けたものである。これにより、図６（Ｂ）に示した三角定規１０Ｂの場合と同様に、滑り止め部材１ＡＣを大きく３つの部分に分けることができる。すなわち、スリットＳＬ２１に囲まれた三角形状の部分Ａ２１と、スリットＳＬ２２に囲まれた三角形状の部分Ａ２２と、スリットＳＬ２３に囲まれた三角形状の部分Ａ２３とである。
【００５１】
そして、この例の三角定規１０Ｃの場合、各スリットＳＬ２１、ＳＬ２２、ＳＬ２３のそれぞれのスペーサ部材２Ａ側の辺が、スペーサ部材２Ａの開口部ＨＡの内側面に一致するようになっている。すなわち、滑り止め部材１ＡＣは、図６（Ｃ）に示すように、スリットＳＬ２１、ＳＬ２２、ＳＬ２３が設けられた部分では、スペーサ部材２Ａと接することはなく、接続部分Ｃ１、Ｃ２、Ｃ３の３箇所においてのみ、スペーサ部材２Ａに固定される。このように、スペーサ部材２Ａが、滑り止め部材１ＡＣに作用する部分を少なくすることによって、滑り止め部材１ＡＣの各部分Ａ２１、Ａ２２、Ａ２３と操作面との密着性をより高めることができる。
【００５２】
これにより、この例の三角定規１０Ｃの場合には、図６（Ｂ）に示した三角定規１０Ｂの場合に比べて、部分Ａ２１、Ａ２２、Ａ２３と操作面との密着性をより高めることができる。すなわち、より少ない押圧力で、部分Ａ２１、Ａ２２、Ａ２３と操作面と強く密着させるようにできる。このように、この実施の形態の滑り止め機構を三角定規に採用することによって、電子機器の操作面において用いて横滑りなどを生じさせることなく、安定して使用可能な三角定規を実現できる。
【００５３】
＜直線定規への適用＞
図７は、実施の形態の滑り止め機構を適用した作図用文具である直線定規２０について説明するための図であり、図７（Ａ）は、直線定規２０の上面図であり、図７（Ｂ）は、図７（Ａ）において１点鎖線Ａ−Ａで示した位置の断面図である。図７（Ａ）に示すように、直線定規２０は、網掛けをして示した長方形状の滑り止め部材１Ｂと、この滑り止め部材１Ｂを囲むように設けられた長方形状のスペーサ部材２Ｂとから構成される。スペーサ部材２Ａの左端側には目盛りが形成されている。
【００５４】
なお、この例の場合にも、滑り止め部材１Ｂは、上述した滑り止め部材１、１Ａと同様に、吸着性、軟質性、可逆性を備えた材料により形成されたものである。また、スペーサ部材２Ｂは、上述したスペーサ部材２、２Ａと同様に、押圧力が加えられた場合にも容易に変形しない硬質材料により形成されたものである。
【００５５】
そして、図７（Ａ）及び図７（Ｂ）に示すように、スペーサ部材２Ｂには、滑り止め部材１Ｂを設けるために、幅Ｗ×長さＬの長方形状の開口部ＨＢが設けられており、この開口部ＨＢに滑り止め部材１Ｂが設けられる。この例の直線定規２０の場合には、図７（Ｂ）に示すように、スペーサ部材２Ｂの開口部ＨＢの内側面には、図５（Ｂ）を用いて説明した三角定規１０の場合と同様に、滑り止め部材１Ｂの外縁を挟持して保持する溝ＧＢが設けられている。そして、滑り止め部材１Ｂの外縁が、スペーサ部材２Ｂの溝ＧＢに嵌め込まれて挟持されることにより、滑り止め部材１Ｂがスペーサ部材２Ｂに固定される。
【００５６】
また、図７（Ｂ）を見ると分かるように、スペーサ部材２Ｂは滑り止め部材１Ｂよりも厚みがあるため、滑り止め部材１Ｂの面１Ｂａはスペーサ部材２Ｂの底面から上面側に凹んだ位置にあり、直線定規２０においてくぼみを構成している。これにより、例えば電子機器の操作面に対して、直線定規２０を滑り止め部材１Ｂの面１Ｂａを向けて置くようにした場合に、当該操作面と滑り止め部材１Ｂの面１Ｂａとの間に空隙が設けられる。このように、この例の直線定規２０は、スペーサ２Ｂが外周部を構成し、この外周部２Ｂの内側に滑り止め部材１Ｂが設けられた内側部を備える構成になっている。
【００５７】
そして、電子機器の操作面に対して、直線定規２０を滑り止め部材１Ｂの面１Ｂａを向けて置いた状態で、使用者が指などにより滑り止め部材１Ｂを面１Ｂｂ側から操作面に向かって押圧すると、滑り止め部材１Ｂの面１Ｂａと当該操作面とが接触する。滑り止め部材１Ｂは、吸着性、軟質性、可逆性を備えたものであり、電子機器の当該操作面は、コーティングが施されて滑りやすく、平滑で、硬質なものである。このため、滑り止め部材１Ｂの面１Ｂａが操作面に密着し、直線定規２０を当該操作面上に固定して、電子ペンによる直線の描画を安定して確実に行うようにできる。
【００５８】
そして、滑り止め部材１Ｂは、吸着性も備えているので、使用者が指などによる押圧を解除した後においても、滑り止め部材１Ｂの面１Ｂａが即座に操作面から離れることはない。押圧を解除した場合であっても、滑り止め部材１Ｂの面１Ｂａが操作面から完全に離れるまでには数秒程度かかる。このため、例えば誤って指を滑り止め部材１Ｂから離した場合でも、即座に直線定規２０が操作面からずれることはないので、直線定規２０を用いた作図を安定して行うことができる。
【００５９】
なお、この例の直線定規２０の場合には、図７（Ｂ）に示したように、滑り止め部材１Ｂの上側の面１Ｂｂはスペーサ部材２Ｂの上面から底面側に凹んだ位置にあり、直線定規２０においてくぼみを構成している。このため、例えば電子機器の操作面に対して、直線定規２０を滑り止め部材１Ｂの面１Ｂｂを向けて置くようにした場合にも、当該操作面と滑り止め部材１Ｂの面１Ｂｂとの間に空隙が設けられる。このため、電子機器の操作面に滑り止め部材１Ｂの面１Ｂｂを向けて直線定規２０を置くようにした場合にも、電子機器の操作面に滑り止め部材１Ｂの面１Ｂａを向けて置くようにした場合と同様にして直線定規２０を用いるようにすることができる。すなわち、この例の直線定規２０は、図３Ａを用いて説明した滑り止め機構を備え、両面使用が可能な直線定規となる。
【００６０】
また、直線定規の場合には、必ずしも両面使用が可能なものでなくてもよい。このため、開口部ＨＢを有するスペーサ部材２Ｂの上面に滑り止め部材１Ｂを貼り付けただけの構成の単一面使用の直線定規を構成することもできる。すなわち、図１〜図２を用いて説明した構成の滑り止め機構を備えた直線定規を構成することもできる。
【００６１】
≪直線定規の変形例≫
図８は、図７を用いて説明した直線定規２０の変形例について説明するための図である。図８（Ａ）の直線定規２０Ａにおいて、スペーサ部材２Ｂは図７を用いて説明したものと同様である。しかし、スペーサ部材２Ｂの開口部ＨＢには、３つの滑り止め部材１Ｂ１、１Ｂ２、１Ｂ３を設けるようにしたものである。そして、滑り止め部材１Ｂ１、１Ｂ２、１Ｂ３の長手方向の端部側には、スリットＳ１、Ｓ２、Ｓ３、Ｓ４を設けている。
【００６２】
これにより、滑り止め部材１Ｂ１、１Ｂ２、１Ｂ３のそれぞれを独立したものとして扱うことができる。従って、電子機器の操作面上に配置したこの例の直線定規２０Ａを強固に滑らないようにするためには、滑り止め部材１Ａ１、１Ａ２、１Ａ３のそれぞれを同時に押圧する。また、少しの直線を引くだけ、あるいは、表示されている直線部分の長さを測るだけといった場合には、それほど強固に滑らないようにする必要はない。このような場合には、滑り止め部材１Ｂ１、１Ｂ２、１Ｂ３の内のいずれか１つ、あるいは、いずれか２つを押圧するようにすればよい。
【００６３】
また、図８（Ｂ）の直線定規２０Ｂにおいて、スペーサ部材２Ｂは図５を用いて説明したものと同様である。しかし、スペーサ部材２Ｂの開口部ＨＢに設ける滑り止め部材１ＢＸは、図８（Ｂ）に示すように、長手方向に２列となるスリットＳ１１、Ｓ１２、Ｓ１３、Ｓ１４、Ｓ１５及びスリットＳ２１、Ｓ２２、Ｓ２３、Ｓ２４、Ｓ２５を設けたものである。これにより、滑り止め部材１ＡＸを、５つの部分に分けることができる。すなわち、スリットＳ１１とＳ２１とで挟まれた部分、スリットＳ１２とＳ２２とで挟まれた部分、スリットＳ１３とＳ２３とで挟まれた部分、スリットＳ１４とＳ２４とで挟まれた部分、スリットＳ１５とＳ２５とで挟まれた部分の５つである。
【００６４】
このように、滑り止め部材１ＢＸにおいては、これら５つの部分に分割するようにしたことにより、滑り止め部材１ＢＸの操作面への密着性をより細かく調整できる。例えば、スリットＳ１３とＳ２３とで挟まれた部分だけを押圧すれば、その部分において操作面との密着度を高めることができる。また、例えば、スリットＳ１１とＳ２１とで挟まれた部分と、スリットＳ１２とＳ２２とで挟まれた部分との間（スリットが設けられていない部分）を押圧したとする。この場合には、当該押圧部分と、スリットＳ１１とＳ２１とで挟まれた部分と、スリットＳ１２とＳ２２とで挟まれた部分の３箇所に渡って、操作面との密着度を高めることができる。このように、押圧する箇所に応じて、操作面への密着性を細かく調整できる。
【００６５】
また、図８（Ｃ）の直線定規２０Ｃにおいて、スペーサ部材２Ｂは図５を用いて説明したものと同様である。そして、図８（Ｃ）の直線定規２０Ｃは、図６（Ｂ）に示した直線定規２０Ｂの各スリットＳ１１〜Ｓ１５、スリットＳ２１〜Ｓ２５のそれぞれのスペーサ部材２Ａ側の辺をスペーサ部材２Ａに接触させるように、各スリットの幅を広げるようにしたものである。
【００６６】
これにより、図８（Ｃ）に示すように、滑り止め部材１ＢＹは、長手方向と交差する方向に幅広のスリットＳ１１ｗ、Ｓ１２ｗ、Ｓ１３ｗ、Ｓ１４ｗ、Ｓ１５ｗ及びスリットＳ２１ｗ、Ｓ２２ｗ、Ｓ２３ｗ、Ｓ２４ｗ、Ｓ２５ｗを備えたものとなる。従って、図８（Ｃ）を見ると明らかであるように、スペーサ部材２Ａが、滑り止め部材１ＢＹに作用する部分が少なくなり、滑り止め部材１ＢＹの各部分と、当該直線定規２０Ｃが配置された電気機器の操作面との密着性をより高めることができる。
【００６７】
＜作図用コンパスへの適用＞
図９は、実施の形態の滑り止め機構を適用した作図用文具である作図用コンパス（以下、単にコンパスと記載する。）について説明するための図である。そして、図９において、図９（Ａ）は、この例のコンパス３０の全体図であり、図９（Ｂ）、（Ｃ）は、当該コンパスの支持部３３部分の断面図である。
【００６８】
図９（Ａ）に示すように、この例のコンパス３０は、開閉軸部３１に対して、第１脚部３２と第２脚部３４とのそれぞれの端部部分が、両矢印Ａｒが示すように開閉可能に取り付けられる。第１脚部３２の他方の先端側には支持部３３が設けられ、この支持部３３が円や弧を描く場合の中心に置かれる部分となる。そして、詳しくは後述するが、支持部３３に対してこの発明による滑り止め機構が適用され、電子機器の操作面上においても円を描画入力する際に用いることができるコンパスを実現している。
【００６９】
また、第２脚部３４の他方の先端部分には、ペン保持部３５が設けられている。このペン保持部３５に対して電子ペン４０を固定することにより、図９（Ａ）に示すように第２脚部３４に対して電子ペン４０を取り付けることができる。また、開閉軸部３１の上端部には回動つまみ３６が設けられている。回動つまみ３６は、使用者が指でつまんで回動操作を行う部分となる。そして、支持部３３を支点とし、回動つまみ３６を力点とし、ペン保持部３５により第２脚部３４に取り付けられた電子ペン４０のペン先を作用点として、電子機器の操作面Ｓｆ上において、円や弧の描画入力を可能にするコンパスが実現される。
【００７０】
そして、図９（Ｂ）に示すように、支持部３３は、滑り止め部材３３１と、スペーサ部材３３２と、脚部ジョイント部３３３とが相互に固定されて構成される。滑り止め部材３３１は、上述した滑り止め部材１と同様に、吸着性、軟質性、可逆性を備えた材料により、上面から見た場合に円形または多角形の板状に形成されたものである。スペーサ部材３３２は、滑り止め部材３３１の外縁に沿って設けられる厚みを有する筒状に形成される部材であり、上述したスペーサ部材２と同様に硬質材料により形成されたものである。これら滑り止め部材３３１とスペーサ部材３３２とにより、滑り止め機構が構成される。すなわち、この例の滑り止め機構は、スペーサ部材３３２が外周部を構成し、この外周部３３２の内側に滑り止め部材３３１が設けられた内側部を備える構成になっている。
【００７１】
そして、滑り止め部材３３１の面３３１ｂ上に設けられる脚部ジョイント部３３３は、ＡＢＳ樹脂、ポリカーボネイト、ＰＥＴ樹脂、硬質ＰＶＣ、塩化ビニール、金属などの硬質材料により、円柱状あるいは多角柱状に形成されたものである。脚部ジョイント部３３３には、上面に開口を有し、第１脚部３２の先端部分に設けられた球状部３２ａと嵌合する嵌合穴が設けられている。この嵌合穴には図９（Ａ）、（Ｂ）、（Ｃ）に示したように、上面の開口から第１脚部３２の先端に設けられた球状部３２ａを押し込むようにして嵌合させる。これにより、第１脚部３２の先端に対して支持部３３が取り付けられる。
【００７２】
この場合、第１脚部３２の球状部３２ａは、脚部ジョイント部３３３の嵌合穴のなかで回動可能にされる。これにより、第１脚部３２と第２脚部３４とのなす角の角度が何度であっても、支持部３３を電子機器の操作面Ｓｆに接触させるようにした場合には、操作面Ｓｆと滑り止め部材３３１の面３３１ａとが常に平行になるように維持できるようにしている。また、操作面Ｓｆに対して支持部３３を接触させた状態を維持したまま、第１脚部３２を種々の方向に倒すように操作することもできる。
【００７３】
そして、この例の場合には、支持部３３の脚部ジョイント部３３３と第１脚部３２とが、滑り止め部材３３１を面３３１ｂ側から操作面Ｓｆ側に押下操作する操作部に相当する。この操作部は、図１、図２を用いて説明した滑り止め機構における使用者の指ｆｇに相当する。
【００７４】
したがって、電子機器の操作面Ｓｆを通じて、円や弧を描画入力する場合には、図９（Ｂ）に示したようにコンパス３０の支持部３３を操作面Ｓｆに接触させる。この図９（Ｂ）に示す状態では、操作面Ｓｆと滑り止め部材３３１の面３３１ａは接触しておらず、空隙ｇｐが生じている状態であるので、コンパス３０を操作面Ｓｆ上において自由に移動させることができる。そして、コンパス３０を用いて円や弧を描画入力する場合には、図９（Ｃ）に示すように、第１脚部３２を通じて脚部ジョイント部３３３を操作面Ｓｆ側に押し込むようにする。
【００７５】
これにより、脚部ジョイント部３３３が滑り止め部材３３１を電子機器の操作面Ｓｆ側に偏倚させ、操作面Ｓｆと支持部３３の滑り止め部材３３１の面３３１ａとが接触するようになる。これにより、操作面Ｓｆと滑り止め部材３３１の面３３１ａとの間で摩擦力が大きくなるので、支持部３３を操作面Ｓｆ上に固定することができる。これにより、コンパス３０の支持部３３が操作面Ｓｆ上で移動することがないので、当該操作面Ｓｆ上において、コンパス３０を用いて安定に、円や弧を描画入力することができる。
【００７６】
そして、滑り止め部材３３１は、吸着性も備えているので、使用者が第１脚部及び局部ジョイント部３３３を通じた押圧を解除した後においても、滑り止め部材３３１の面３３１ａが即座に操作面Ｓｆから離れることはない。押圧を解除した場合であっても、滑り止め部材３３１の面３３１ａが操作面Ｓｆから完全に離れるまでには数秒程度かかる。このため、例えば誤って第１脚部３２への押圧をやめてしまった場合でも、即座に支持部３３の滑り止め部材３３１が操作面Ｓｆからずれることはないので、コンパス３０を用いた作図を安定して行うことができる。
【００７７】
［実施の形態の効果］
上述した実施の形態の滑り止め機構を備えた作図用文具である三角定規、直線定規、コンパスによれば、滑り止め部材に対して僅かの押圧力を加えることで、滑り止め機能を発揮させることができる。これにより、電子機器の操作面といった極めて滑りやすい描画面上において、作図用文具を適切に固定し、作図用文具が意図せずに滑って移動してしまうといった不都合を生じさせることなく、安定に、かつ、確実に当該作図用文具を用いて描画入力が行える。
【００７８】
また、滑り止め部材が吸着性を備えることにより、滑り止め部材に対する押圧力を除去しても、滑り止め機能をある程度、例えば数秒程度は維持することができる。このため、押圧力の除去後すぐに当該作図用文具が、例えば電子機器の操作面上においてずれてしまうといった不都合を生じさせることもない。従って、誤って押圧をやめてしまった場合、あるいは、お年寄りや子供といった力の弱い使用者が押圧を持続させることできない場合などにおいて、滑り止め機能が維持されている間に再度の押圧を行うようにすれば、滑り止め機能を維持できる。
【００７９】
そして、滑り止め部材に対する押圧力を除去した後であって数秒程度経過すると、滑り止め部材とスペーサ部材との機能により、滑り止め部材は元の状態に復帰し、例えば電子機器の操作面と接触していない状態になる。この場合には、当該作図用文具は、例えば電子機器の操作面上を自由に移動させることができる。
【００８０】
このように、僅かな押圧力により滑り止め機能を発揮させ、押圧力を解除しても即座に滑り止め機能が解除されることはないので、小さな子供や力の弱いお年寄りが用いて好適な作図用文具が実現できる。
【００８１】
そして、タブレットやタブレットＰＣといった電子機器を用いる文教分野などにおいて利用可能な作図用文具を実現できる。すなわち、電子機器において作図を行う場合には、作図用のソフトウェアを用いて作図を行う必要があった。しかし、この発明の作図用文具を用いることにより、作図用のソフトウェア特有の操作方法を覚える必要なく、従来からの作図用文具の使い方や教え方そのままに、電子機器の操作面上において作図を行うことができる。
【００８２】
この発明の作図用文具は、電子機器の操作面だけでなく、通常の紙面上においても使用できるし、ガラス面、鏡面、プラスチック面などの上においても使用できる。特に、ガラス面、鏡面、プラスチック面といった、従来の作図用文具ではすぐに横滑りなどが発生して正確に作図ができなかった描画面上においても、安定して正確に作図ができるようになる。
【００８３】
［変形例等］
上述した実施の形態では、滑り止め機構を備えたこの発明の作図用文具の具体例として、三角定規、直線定規、コンパスについて説明したが、この発明は上述した例以外の作図用文具にも適用できる。例えば、分度器、雲形定規などの曲線定規、パース定規、種々のテンプレートなど、描画面上において種々の線を描画するために用いる作図用文具にこの発明を適用できる。
【００８４】
また、スペーサ部材２、２Ｘ、２Ａ、２Ｂ、３３２については、硬質な剛体構造だけでなく、押圧力に応じて潰れるようなものではなく、曲面に追従して撓ることができるやや軟質な性質を持つ材料で構成してもよい。これにより、例えば、電子機器の曲面を有するような操作面など、完全に平板な描画面上においても、滑り止め機能を発揮させることが可能な作図用文具を実現できる。
【００８５】
また、例えば、図１〜図３を用いて説明した滑り止め機構の場合にも、滑り止め部材１は、図４（Ｂ）を用いて説明した滑り止め部材１Ｚの場合と同様に、基材４を内部に備えた積層構造としてもよい。この場合には、滑り止め部材１の押圧力に対する耐性や押圧力除去後の復帰力の調整を行うことができる。
【００８６】
また、三角定規１０のスペーサ部材２Ａや直線定規のスペーサ部材２Ｂは一体に形成することもできるし、滑り止め部材１Ａ、１Ｂを挟み込むようにするために、上下２枚の部分からなるものとして構成することもできる。もちろん、スペーサ部材２Ａや直線定規のスペーサ部材２Ｂを複数の部分からなるものとして構成し、その複数部分を組み合わせて、１つの三角定規や直線定規として構成することもできる。すなわち、この発明の作図用文具の製造の仕方は種々の態様を取ることができる。
【００８７】
また、この発明の作図用文具をコンパスに適用した場合であって、電子機器の操作面に対して作図する場合でない場合においては、ペン保持部３５には、電子ペン以外の筆記具が固定するようにされる。例えば、鉛筆やサインペンなどを固定することが考えられる。もちろん、第２脚部３４の先端に筆記具をはじめから設けるようにした構成のコンパスを構成することももちろん可能である。
【符号の説明】
【００８８】
１、１Ｘ、１ＸＡ、１ＸＢ…滑り止め部材、１ａ、１ｂ…面、２、２Ｘ…スペーサ部材、Ｓｆ…電子機器の操作面、ｇｐ…空隙、３…スリット、１Ｙ、１Ｚ…滑り止め部材、１Ｙｃ、１Ｙｄ、１Ｚｃ、１Ｚｄ…凸部、４…基材、１０、１０Ａ、１０Ｂ、１０Ｃ…三角定規、１Ａ、１ＡＡ、１ＡＢ、１ＡＣ…滑り止め部材、１Ａａ、１Ａｂ…面、ＧＡ…溝、ＨＡ…開口部、２Ａ…スペーサ部材、スリット…ＳＬ１、ＳＬ２、ＳＬ３、ＳＬ１１、ＳＬ１２、ＳＬ１３、ＳＬ２１、ＳＬ２２、ＳＬ２３、２０…直線定規、１Ｂ…スペーサ部材、１Ｂａ、１Ｂｂ…面、ＧＢ…溝、ＨＢ…開口部、２Ｂ…スペーサ部材、スリット…Ｓ１、Ｓ２、Ｓ３、Ｓ４、スリット…Ｓ１１、Ｓ１２、Ｓ１３、Ｓ１４、Ｓ１５、スリット…Ｓ２１、Ｓ２２、Ｓ２３、Ｓ２４、Ｓ２５、スリット…Ｓ１１ｗ、Ｓ１２ｗ、Ｓ１３ｗ、Ｓ１４ｗ、Ｓ１５ｗ、スリット…Ｓ２１ｗ、Ｓ２２ｗ、Ｓ２３ｗ、Ｓ２４ｗ、Ｓ２５ｗ、３０…コンパス、３１…開閉軸部、３２…第１脚部、３３…支持部、３３１…滑り止め部材、３３２…スペーサ部材、３３３…脚部ジョイント部、３４…第２脚部、３５…ペン保持部、３６…回動つまみ、４０…電子ペン
【図１】
2019142088.tif 000003
【図２】
2019142088.tif 000004
【図３】
2019142088.tif 000005
【図４】
2019142088.tif 000006
【図５】
2019142088.tif 000007
【図６】
2019142088.tif 000008
【図７】
2019142088.tif 000009
【図８】
2019142088.tif 000010
【図９】
2019142088.tif 000011